(57)【要約】【課題】発着信負荷及びハンドオーバ負荷の双方によるシグナリング負荷を考慮したアイドル遷移タイマ値を決定する。【解決手段】無線基地局装置は、所定の期間内の発着信回数及びハンドオーバ回数を取得する回数取得部と、取得された発着信回数及びハンドオーバ回数に基づいて、移動機との通信終了後から当該移動機をアイドル状態に遷移させるまでの時間を表すアイドル遷移タイマ値を制御するアイドル遷移タイマ値制御部と、制御されたアイドル遷移タイマ値に基づいて、移動機をアイドル状態に遷移させるアイドル遷移制御部とを有する。【選択図】図１
2014049930.tif 000002
【特許請求の範囲】
【請求項１】
所定の期間内の発着信回数及びハンドオーバ回数を取得する回数取得部と、
取得された発着信回数及びハンドオーバ回数に基づいて、移動機との通信終了後から当該移動機をアイドル状態に遷移させるまでの時間を表すアイドル遷移タイマ値を制御するアイドル遷移タイマ値制御部と、
制御されたアイドル遷移タイマ値に基づいて、移動機をアイドル状態に遷移させるアイドル遷移制御部と、
を有する無線基地局装置。
【請求項２】
前記アイドル遷移タイマ値制御部は、取得された発着信回数及びハンドオーバ回数から発着信負荷及びハンドオーバ負荷を算出し、発着信負荷及びハンドオーバ負荷の双方によるシグナリング負荷が低減されるように、アイドル遷移タイマ値を制御する、請求項１に記載の無線基地局装置。
【請求項３】
前記アイドル遷移タイマ値制御部は、
取得された発着信回数及びハンドオーバ回数から発着信負荷とハンドオーバ負荷との比率を算出し、当該比率を算出したときのアイドル遷移タイマ値と算出された比率とに基づいて当該無線基地局装置におけるトラヒック特性を選択するトラヒック特性選択部と、
選択されたトラヒック特性に基づいてアイドル遷移タイマ値を決定するアイドル遷移タイマ値決定部と、
を有する、請求項１又は２に記載の無線基地局装置。
【請求項４】
移動機の情報を取得する移動機情報取得部を更に有し、
前記アイドル遷移タイマ値決定部は、選択されたトラヒック特性と取得された移動機の情報とに基づいてアイドル遷移タイマ値を決定する、請求項３に記載の無線基地局装置。
【請求項５】
前記アイドル遷移タイマ値制御部は、当該無線基地局装置に接続している移動機に対して、アイドル遷移タイマ値を制御する、請求項１乃至４のうちいずれか１項に記載の無線基地局装置。
【請求項６】
前記アイドル遷移タイマ値制御部は、アイドル遷移タイマ値が変更された後に当該無線基地局装置に接続又はハンドオーバしてきた移動機に対して、アイドル遷移タイマ値を制御する、請求項１乃至４のうちいずれか１項に記載の無線基地局装置。
【請求項７】
前記アイドル遷移タイマ値制御部は、更に、アイドル遷移タイマ値が変更されたときに当該無線基地局装置に接続している移動機の中で、通信終了後の時間が変更後のアイドル遷移タイマ値以下である移動機に対して、アイドル遷移タイマ値を制御する、請求項６に記載の無線基地局装置。
【請求項８】
無線基地局装置に接続された無線基地局制御装置であって、
所定の期間内の発着信回数及びハンドオーバ回数を取得する回数取得部と、
取得された発着信回数及びハンドオーバ回数に基づいて、移動機との通信終了後から当該移動機をアイドル状態に遷移させるまでの時間を表すアイドル遷移タイマ値を制御するアイドル遷移タイマ値制御部と、
移動機をアイドル状態に遷移させるため、制御されたアイドル遷移タイマ値を前記無線基地局装置に通知するアイドル遷移タイマ値通知部と、
を有する無線基地局制御装置。
【請求項９】
無線基地局装置における遷移制御方法であって、
所定の期間内の発着信回数及びハンドオーバ回数を取得するステップと、
取得された発着信回数及びハンドオーバ回数に基づいて、移動機との通信終了後から当該移動機をアイドル状態に遷移させるまでの時間を表すアイドル遷移タイマ値を制御するステップと、
制御されたアイドル遷移タイマ値に基づいて、移動機をアイドル状態に遷移させるステップと、
を有する遷移制御方法。
【請求項１０】
無線基地局装置に接続された無線基地局制御装置における遷移制御方法であって、
所定の期間内の発着信回数及びハンドオーバ回数を取得するステップと、
取得された発着信回数及びハンドオーバ回数に基づいて、移動機との通信終了後から当該移動機をアイドル状態に遷移させるまでの時間を表すアイドル遷移タイマ値を制御するステップと、
移動機をアイドル状態に遷移させるため、制御されたアイドル遷移タイマ値を前記無線基地局装置に通知するステップと、
を有する遷移制御方法。
【発明の詳細な説明】
【技術分野】
【０００１】
本発明は、無線基地局装置、無線基地局制御装置及び遷移制御方法に関する。
【背景技術】
【０００２】
移動通信システムにおける移動機は、通信を終了した後、電池消耗を低減させるために、節電状態に遷移する。例えばLTE（Long Term Evolution）システムにおいては、移動機は、通信終了後に一定時間通信が行われない場合にはアイドル（Idle）状態に遷移する。ここでは、通信終了後から移動機をIdle状態に遷移させるまでの無通信時間をIdle遷移タイマ値と呼ぶ。LTEシステムにおいては、このような移動機の動作状態は、無線基地局装置（eNB）によって管理されている。移動機が動作状態を変える場合、無線基地局装置から指示を受ける必要がある（非特許文献１参照）。
【先行技術文献】
【非特許文献】
【０００３】
【非特許文献１】3GPP TS36.304 v9.8.0
【発明の概要】
【発明が解決しようとする課題】
【０００４】
Idle遷移タイマ値は、ネットワークに対して以下の影響を与える。
【０００５】
Idle状態の移動機に対して発着信が発生した場合に、移動機を通信（Connected）状態に遷移させる必要があるため、Idle遷移タイマ値が短いほど、発着信負荷が大きくなる。
【０００６】
一方、Connected状態の移動機がセルを跨いで移動した場合、ハンドオーバが行われるため、Idle遷移タイマ値が長いほど、Connected状態の時間が増え、その結果、ハンドオーバ負荷が大きくなる。
【０００７】
このように、Idle遷移タイマ値は、発着信が多いセルでは長い方がよく、ハンドオーバが多いセルでは短い方がよいと考えられる。
【０００８】
しかし、Idle遷移タイマ値をセル毎に最適化することには、時間及びコストがかかる。また、同じセルであっても、時間帯、曜日、イベント等によって最適なIdle遷移タイマ値は変動する。
【０００９】
本発明は、発着信負荷及びハンドオーバ負荷の双方によるシグナリング負荷を考慮したアイドル遷移タイマ値を決定することを目的とする。
【課題を解決するための手段】
【００１０】
本発明の一形態による無線基地局装置は、
所定の期間内の発着信回数及びハンドオーバ回数を取得する回数取得部と、
取得された発着信回数及びハンドオーバ回数に基づいて、移動機との通信終了後から当該移動機をアイドル状態に遷移させるまでの時間を表すアイドル遷移タイマ値を制御するアイドル遷移タイマ値制御部と、
制御されたアイドル遷移タイマ値に基づいて、移動機をアイドル状態に遷移させるアイドル遷移制御部と、
を有することを特徴とする。
【００１１】
本発明の一形態による無線基地局制御装置は、
無線基地局装置に接続された無線基地局制御装置であって、
所定の期間内の発着信回数及びハンドオーバ回数を取得する回数取得部と、
取得された発着信回数及びハンドオーバ回数に基づいて、移動機との通信終了後から当該移動機をアイドル状態に遷移させるまでの時間を表すアイドル遷移タイマ値を制御するアイドル遷移タイマ値制御部と、
移動機をアイドル状態に遷移させるため、制御されたアイドル遷移タイマ値を前記無線基地局装置に通知するアイドル遷移タイマ値通知部と、
を有することを特徴とする。
【００１２】
本発明の一形態による遷移制御方法は、
無線基地局装置における遷移制御方法であって、
所定の期間内の発着信回数及びハンドオーバ回数を取得するステップと、
取得された発着信回数及びハンドオーバ回数に基づいて、移動機との通信終了後から当該移動機をアイドル状態に遷移させるまでの時間を表すアイドル遷移タイマ値を制御するステップと、
制御されたアイドル遷移タイマ値に基づいて、移動機をアイドル状態に遷移させるステップと、
を有することを特徴とする。
【００１３】
本発明の一形態による遷移制御方法は、
無線基地局装置に接続された無線基地局制御装置における遷移制御方法であって、
所定の期間内の発着信回数及びハンドオーバ回数を取得するステップと、
取得された発着信回数及びハンドオーバ回数に基づいて、移動機との通信終了後から当該移動機をアイドル状態に遷移させるまでの時間を表すアイドル遷移タイマ値を制御するステップと、
移動機をアイドル状態に遷移させるため、制御されたアイドル遷移タイマ値を前記無線基地局装置に通知するステップと、
を有することを特徴とする。
【発明の効果】
【００１４】
本発明によれば、発着信負荷及びハンドオーバ負荷の双方によるシグナリング負荷を考慮したアイドル遷移タイマ値を決定することが可能になる。
【図面の簡単な説明】
【００１５】
【図１】本発明の実施例に係る通信システムの構成図
【図２】移動機における状態遷移を示す図
【図３】トラヒック特性の選択に用いられるテーブルの例
【図４】Idle遷移タイマ値の選択に用いられるテーブルの例（その１）
【図５】Idle遷移タイマ値の選択に用いられるテーブルの例（その２）
【図６】本発明の実施例に係る遷移制御方法のシーケンス図
【図７】本発明の実施例に係る遷移制御方法のフローチャート
【図８】本発明の変形例に係る通信システムの構成図
【発明を実施するための形態】
【００１６】
本発明の実施例では、無線基地局装置（eNB）が移動機（UE）をIdle状態に遷移させる遷移制御方式について説明する。
【００１７】
eNBは、所定の期間内の発着信回数及びハンドオーバ回数を取得する。eNBは、取得された発着信回数及びハンドオーバ回数に基づいて、移動機との通信終了後から当該移動機をIdle状態に遷移させるまでの時間を表すIdle遷移タイマ値を制御する。eNBは、通信終了後の無通信時間がIdle遷移タイマ値を超えると、移動機をIdle状態に遷移させる。
【００１８】
以下、本発明の実施例について、図面を用いて詳細に説明する。
【００１９】
＜通信システムの構成＞
図１は、本発明の実施例に係る通信システムの構成図である。通信システムは、無線基地局装置（eNB）１０と、コアネットワーク装置（EPC）２０と、移動機（UE）（図示せず）とを含む。典型的には、通信システムには、複数のeNB１０と、複数のEPC２０と、複数のUEとが含まれる。
【００２０】
eNB１０は、セル内に在圏するUEと、無線リンクを介して、下りリンクの無線信号を送信し、上りリンクの無線信号を受信する。本実施例では、eNB１０は、UEと通信を実施し、UEとの通信終了後から一定時間通信が行われない場合、eNB１０はUEをIdle状態に遷移させる。UEとの通信終了後からUEをIdle状態に遷移させるまでの時間をIdle遷移タイマ値と呼ぶ。なお、UEは、Idle状態に遷移する前に、通信終了後から一定時間通信が行われない場合、DRX（discontinuous reception）状態に遷移してもよい。通信終了後からDRX状態に遷移するまでの時間をDRX遷移タイマ値と呼ぶ。
【００２１】
図２に、移動機における状態遷移を示す。UEは、通信（Connected）状態でeNB１０と通信する。DRX機能を搭載しているUEは、無通信時間がDRX遷移タイマ値を超えると、所定の区間のみ受信を行うDRX状態に遷移する。また、UEは、無通信時間がIdle遷移タイマ値を超えると、eNB１０からの指示によってIdle遷移状態に遷移する。UEがDRX機能を搭載している場合、一般的には、UEは、通信終了後にDRX状態に遷移し、その後にIdle状態に遷移する。
【００２２】
EPC２０は、複数のeNB１０に接続され、UEの情報を管理すると共に、アクセス網間のデータを伝送する。EPC２０は、複数のeNBを制御する制御装置として機能することができる。
【００２３】
UEは、eNB１０と無線通信を行う装置である。説明の便宜上、移動端末が使用されているが、固定端末でもよい。したがって、一般的には、eNB１０と無線通信可能な如何なるユーザ装置が使用されてもよい。ユーザ装置は、例えば、携帯電話、スマートフォン、情報端末、携帯用パーソナルコンピュータ等であるが、これらに限定されない。UEにはDRX機能が搭載されているものと、DRX機能が搭載されていないものが存在する。DRX機能が搭載されているUEは、DRX状態及びIdle状態のような節電状態で動作できる。DRX機能が搭載されていないUEは、Idle状態のような節電状態で動作できる。
【００２４】
eNB１０は、シグナリング回数取得部１０１と、Idle遷移タイマ値取得部１０３と、Idle遷移タイマ値制御部１０５と、Idle遷移制御部１１１と、eNB負荷監視部１１３と、EPC負荷取得部１１５と、UE情報取得部１１７とを有する。
【００２５】
シグナリング回数取得部１０１は、所定の期間内の発着信回数を取得する。例えば、シグナリング回数取得部１０１は、移動機がIdle状態からConnected状態に遷移する発着信回数として、データ発信回数、データ着信回数、音声発信回数、音声着信回数及び位置登録による発信回数を取得する。なお、シグナリング回数取得部１０１は、これらの発着信回数のうち一部を除外してもよい。例えば、シグナリング回数取得部１０１は、音声発着信回数を取得してもよく、取得しなくてもよい。例えば、シグナリング回数取得部１０１は、位置登録による発信回数を取得してもよく、取得しなくてもよい。
【００２６】
また、シグナリング回数取得部１０１は、所定の期間内のハンドオーバ回数を取得する。例えば、シグナリング回数取得部１０１は、Connected状態の移動局のハンドオーバ回数及びRAT（Radio Access Technology）間の遷移回数（Inter-RAT遷移回数）を取得する。LTE（Long Term Evolution）からUMTS（Universal Mobile Telecommunications System）へのInter-RAT遷移回数には、例えば、LTEからUMTSへのハンドオーバ回数と、LTEを切断してUMTSにハンドオーバするRelease with redirectionとが含まれる。なお、シグナリング回数取得部１０１は、ハンドオーバ回数のうち一部を除外してもよい。例えば、eNB１０内のセクタ間ハンドオーバは、EPC２０への影響を与えないため、シグナリング回数取得部１０１は、eNB１０内のハンドオーバを除外してもよい。また、eNB１０内のハンドオーバであっても、Inter-RAT遷移回数は、EPC２０への影響があるため、取得してもよい。
【００２７】
Idle遷移タイマ値取得部１０３は、eNB１０で現在設定されているIdle遷移タイマ値を取得する。
【００２８】
Idle遷移タイマ値制御部１０５は、例えば所定の周期で又は予め決められた時間に、取得された発着信回数及びハンドオーバ回数に基づいて、Idle遷移タイマ値を制御する。具体的には、Idle遷移タイマ値制御部１０５は、取得された発着信回数及びハンドオーバ回数から発着信負荷及びハンドオーバ負荷を算出し、発着信負荷及びハンドオーバ負荷の双方によるシグナリング負荷が低減されるように、Idle遷移タイマ値を制御する。Idle遷移タイマ値は、発着信負荷及びハンドオーバ負荷の双方によるシグナリング負荷が最小化されるように制御されることが好ましい。発着信負荷とは、Idle状態の移動機に対する発着信によりネットワーク（eNB又はEPC）に与える負荷を示し、ハンドオーバ負荷とは、Connected状態の移動機がハンドオーバすることによりネットワーク（eNB又はEPC）に与える負荷を示す。発着信負荷及びハンドオーバ負荷は、eNB１０とEPC２０との双方の負荷でもよく、eNB１０のみの負荷でもよく、EPC２０のみの負荷でもよい。
【００２９】
Idle遷移タイマ値制御部１０５は、トラヒック特性選択部１０７と、Idle遷移タイマ値決定部１０９とを有する。
【００３０】
トラヒック特性選択部１０７は、取得された発着信回数及びハンドオーバ回数から発着信負荷とハンドオーバ負荷との比率を算出し、比率を算出したときのIdle遷移タイマ値と算出された比率とに基づいてeNB１０におけるトラヒック特性を選択する。例えば、トラヒック特性選択部１０７は、発着信回数をAとし、ハンドオーバ回数をBとしたときに、発着信負荷とハンドオーバ負荷との比率Cを、以下のように求める。
【００３１】
C=B÷A又はC=B÷(A+B)
上記のように、発着信回数Aには、音声発着信を含めてもよく、含めなくてもよい。また、発着信回数Aには、位置登録による発信回数を含めてもよく、含めなくてもよい。更に、ハンドオーバ回数Bには、eNB内のハンドオーバ回数は除外してもよいが、Inter-RAT遷移回数は含めてもよい。
【００３２】
発着信回数Aは、以下のようにデータ発信回数、データ着信回数、音声発信回数、音声着信回数及び位置登録による発信回数に重みを付けることで算出されてもよい。
【００３３】
A=α1×データ発信回数+α2×データ着信回数+α3×音声発信回数+α4×音声着信回数+α5×位置登録発信回数
なお、α1〜α5はそれぞれの回数に対する重み付け係数を表す。例えば、データ発信がネットワークに与える負荷が1のときに音声発信がネットワークに与える負荷が2である場合、α3はα2の２倍になるように重み付け係数が決められる。
【００３４】
同様に、ハンドオーバ回数Bは、以下のようにハンドオーバ回数及びInter-RAT遷移回数に重みを付けることで算出されてもよい。
【００３５】
B=β1×ハンドオーバ回数+β2×Inter-RAT遷移回数
なお、β1〜β2はそれぞれの回数に対する重み付け係数を表す。
【００３６】
トラヒック特性選択部１０７は、比率Cを算出したときのIdle遷移タイマ値（すなわち、現在設定されているIdle遷移タイマ値）に対して設定された閾値と比率Cとを比較することで、セルのトラヒック特性を選択する。
【００３７】
図３に、トラヒック特性の選択に用いられるテーブルの例を示す。このテーブルには、Idle遷移タイマ値とトラヒック特性との関係が示されている。現在設定されているIdle遷移タイマ値によってトラヒック特性が変わるため、設定可能なIdle遷移タイマ値毎に、トラヒック特性を選択するための閾値が設定されている。例えば、現在設定されているIdle遷移タイマ値がTimer2であるときのCの値がTh2,N-1≦C＜Th2,N-2を満たす場合、トラヒック特性N-1が選択される。なお、トラヒック特性の選択の際に、トラヒック特性が頻繁に変化してIdle遷移タイマ値の変更が頻発することを回避するため、ヒステリシスが設けられてもよい。ヒステリシスとは、例えばトラヒック特性Nからトラヒック特性N-1を選択するときの閾値と、トラヒック特性N-1からトラヒック特性Nを選択するときの閾値を変えることを意味する。また、Cの値がTh2,N-1≦C＜Th2,N-2を所定回数満たす場合に、トラヒック特性N-1が選択されるように、保護段数が設けられてもよい。保護段数とは、条件を所定回数満たす場合にトラヒック特性が選択されることを意味する。
【００３８】
Idle遷移タイマ値決定部１０９は、選択されたトラヒック特性に基づいてIdle遷移タイマ値を決定する。
【００３９】
図４に、Idle遷移タイマ値の選択に用いられるテーブルの例を示す。このテーブルには、トラヒック特性と選択するIdle遷移タイマ値との関係が示されている。例えば、トラヒック特性N-1が選択された場合、Idle遷移タイマ値TimerN-1が選択される。
【００４０】
Idle遷移タイマ値制御部１０５は、eNB１０に接続している全ての移動機に対して、Idle遷移タイマ値を変更してもよい。この場合、通信終了後の無通信時間が変更後のIdle遷移タイマ値より大きい移動機に対しては、Idle遷移タイマ値の変更時にIdle状態への遷移が指示される。
【００４１】
また、Idle遷移タイマ値が短くなることにより移動機がConnected状態からIdle状態に急に遷移することを回避するため、Idle遷移タイマ値制御部１０５は、Idle遷移タイマ値が変更された後にeNB１０に接続又はハンドオーバしてきた移動機に対して、Idle遷移タイマ値を制御してもよい。
【００４２】
或いは、Idle遷移タイマ値が短くなることにより移動機がConnected状態からIdle状態に急に遷移することを回避するため、Idle遷移タイマ値制御部１０５は、Idle遷移タイマ値が変更された後にeNB１０に接続又はハンドオーバしてきた移動機と、Idle遷移タイマ値が変更されたときにeNB１０に接続している移動機の中で、通信終了後の無通信時間が変更後のIdle遷移タイマ値以下である移動機とに対して、Idle遷移タイマ値を制御してもよい。例えば、Idle遷移タイマ値が120秒から60秒に変更された場合、通信終了後の無通信時間が30秒の移動機に対してはIdle遷移タイマ値を60秒に変更するが、通信終了後の無通信時間が100秒の移動機に対してはIdle遷移タイマ値を60秒に変更せずに120秒のままに維持する。Idle遷移タイマ値が120秒に維持された移動機が120秒間通信せずにIdle状態に遷移した場合、この移動機がeNB１０に接続してきてConnected状態になるときに60秒のIdle遷移タイマ値が設定される。
【００４３】
Idle遷移制御部１１１は、制御されたIdle遷移タイマ値に基づいて、移動機をIdle状態に遷移させる。
【００４４】
eNB負荷監視部１１３は、eNB１０の負荷を監視する。例えば、eNB負荷監視部１１３は、１回の発着信又はハンドオーバによりeNB１０に与える負荷（CPU使用率等）を監視する。eNB１０の負荷は、重み付け係数α1〜α5及びβ1〜β2を決めるために用いられてもよい。
【００４５】
EPC負荷取得部１１５は、EPC２０からEPC２０の負荷を取得する。例えば、EPC負荷取得部１１５は、１回の発着信又はハンドオーバによりEPC２０に与える負荷をEPC２０から取得する。eNB２０の負荷は、重み付け係数α1〜α5及びβ1〜β2を決めるために用いられてもよい。
【００４６】
UE情報取得部１１７は、移動機の情報を取得する。UE情報取得部１１７は、EPC２０で管理されている移動機種別を取得してもよく、UEから移動機種別を取得してもよく、UEから移動機の移動性を取得してもよい。移動機種別は、電池持ちの良し悪しによって分類されてもよい。移動機の移動性は、頻繁に移動する移動機であるか否かを示す指標であり、例えば、単位時間当たりの合計移動距離又は移動範囲の大きさにより求められてもよい。
【００４７】
移動機の情報を考慮する場合、Idle遷移タイマ値決定部１０９は、選択されたトラヒック特性と移動機の情報とに基づいてIdle遷移タイマ値を決定する。
【００４８】
図５に、Idle遷移タイマ値の選択に用いられるテーブルの例を示す。このテーブルには、トラヒック特性と移動機種別毎に選択するIdle遷移タイマ値との関係が示されている。Idle遷移タイマ値を短くするほど、発着信の際にIdle状態からConnected状態に遷移する可能性が高くなり、レスポンス性能が劣化する。LTEシステムにおいては、Idle状態からConnected状態に遷移するための手順が簡略化されているため、Idle遷移タイマ値を短くすることにより移動機のレスポンス性能に与える影響は、ネットワークに与える影響に比べてかなり小さい。このため、移動機毎にIdle遷移タイマ値を設定する場合、移動機の電池持ち又は移動性に主に着目する。一般的にConnected状態の方がIdle状態よりも消費電流が大きいため、移動機の電池持ちは、Idle遷移タイマ値を長くするほど劣化する。このため、例えば、このテーブルにおいて、バッテリが小さい移動機又はDRX状態の消費電流が大きい移動機のように電池持ちが悪い移動機には、電池持ちが良い移動機より短いIdle遷移タイマ値が設定される。また、電源に接続されている移動機のように移動性が小さい移動機には、移動性が大きい移動機より長いIdle遷移タイマ値が設定される。例えば、トラヒック特性N-1が選択された場合、移動機種別が2である場合、Idle遷移タイマ値Timer2,N-1が選択される。
【００４９】
移動機の情報を考慮する場合であっても、eNB１０やEPC２０の処理が輻輳している場合には、Idle遷移タイマ値決定部１０９は、全ての移動機を特定の移動機種別（例えば、移動機種別1）とみなしてIdle遷移タイマを選択してもよい。このことにより、輻輳時には、移動機の電池持ちではなく、ネットワーク負荷が最適となるIdle遷移タイマ値を選択できる。
【００５０】
EPC２０は、EPC負荷監視部２１５と、UE情報DB２１７とを有する。
【００５１】
EPC負荷監視部２１５は、EPC２０の負荷を監視する。例えば、EPC負荷監視部２１５は、１回の発着信又はハンドオーバによりEPC２０に与える負荷（CPU使用率等）を監視する。EPC２０の負荷は、重み付け係数α1〜α5及びβ1〜β2を決めるために用いられてもよい。
【００５２】
UE情報DB２１７は、UEの情報を管理する。例えば、UE情報DB２１７は、UE識別子に対応付けて、DRX状態における消費電力、Idle状態における消費電力、Idle状態からConnected状態への遷移時間等の移動機種別によって異なる実力値を格納してもよい。その他に、UEの電池容量等を格納してもよい。また、UE情報DB２１７は、UE識別子に対応付けて、移動機種別自体を格納してもよい。
【００５３】
＜通信システムの動作＞
次に、本発明の実施例に係る通信システムの動作について説明する。
【００５４】
図６は、本発明の実施例に係る遷移制御方法のシーケンス図である。まず、移動機が通信を始める際に、移動機はeNBに接続要求を送信する（Ｓ１０１）。接続要求を受けたeNBは、同期タイミング等の接続に必要な情報を移動機に送信する（Ｓ１０３）。次に、移動機は、UE識別子等の制御用情報をeNBに送信する（Ｓ１０５）。このときに、移動機は、自身のDRX機能の搭載の有無等のUE情報をeNBに送信してもよい。制御用情報を受けたeNBは、移動機に接続許可の信号を送信する（Ｓ１０７）。接続処理を終えた移動機は、eNBに接続完了信号を送る（Ｓ１０９）。接続の完了によって、移動機はConnected状態になる。
【００５５】
次に、eNBはUE識別子等の接続された移動機の情報をEPCに送信する（Ｓ１１１）。接続情報の通知を受けたEPCは、UE識別子からUE情報を取得し、UE情報を含んだ制御情報をeNBに送信する（Ｓ１１３）。制御情報の通知を受けたeNBは、移動機と通信を開始する（Ｓ１１５）。
【００５６】
通信が終了すると、eNBは無通信時間を測定し、無通信時間が上記のようにIdle遷移タイマ値制御部１０５で制御されたタイマ値を超えると、移動機にIdle遷移要求を通知する（Ｓ１１７）。なお、通信終了後に移動機は自動的にDRXに遷移していてもよい。Idle遷移要求を受けた移動機はIdle状態に遷移する。
【００５７】
次に、eNBにおける具体的な遷移制御方法について説明する。
【００５８】
図７に、本発明の実施例に係る遷移制御方法のフローチャートを示す。
【００５９】
eNBは、シグナリング回数取得部１０１において、所定の期間内の発着信回数及びハンドオーバ回数を取得する（Ｓ２０１）。eNBは、トラヒック特性選択部１０７において、取得された発着信回数及びハンドオーバ回数から発着信負荷とハンドオーバ負荷との比率Cを算出する（Ｓ２０３）。また、eNBは、トラヒック特性選択部１０７において、比率を算出したときのIdle遷移タイマ値と算出された比率とに基づいて、図３のテーブルを用いてeNB１０におけるトラヒック特性nを選択する（Ｓ２０５）。そして、eNBは、Idle遷移タイマ値決定部１０９において、選択されたトラヒック特性n及び図５のテーブルに基づいて、移動機種別m（m=1,2,..,M）の移動機に対してIdle遷移タイマ=Timerm,nを適用する。なお、移動機種別を考慮しない場合、eNBは、Idle遷移タイマ値決定部１０９において、選択されたトラヒック特性n及び図４のテーブルに基づいてIdle遷移タイマ=Timernを適用する（Ｓ２０７）。
【００６０】
＜変形例＞
上記の実施例では、eNB１０においてIdle遷移タイマ値が制御されているが、EPC２０においてIdle遷移タイマ値を制御する場合について以下に説明する。
【００６１】
図８は、本発明の変形例に係る通信システムの構成図である。
【００６２】
eNB１０は、Idle遷移制御部１１１と、eNB負荷監視部１１３とを有する。
【００６３】
Idle遷移制御部１１１は、EPC２０において制御されたIdle遷移タイマ値に基づいて、移動機をIdle状態に遷移させる。
【００６４】
eNB負荷監視部１１３は、上記のように、eNB１０の負荷を監視する。
【００６５】
EPC２０は、シグナリング回数取得部２０１と、Idle遷移タイマ値取得部２０３と、Idle遷移タイマ値制御部２０５と、Idle遷移タイマ値通知部２１１と、eNB負荷取得部２１３と、EPC負荷監視部２１５と、UE情報DB２１７とを有する。
【００６６】
シグナリング回数取得部２０１は、上記のように、所定の期間内の発着信回数及びハンドオーバ回数を取得する。この場合、発着信回数及びハンドオーバ回数は、EPC内の情報が取得できる。
【００６７】
Idle遷移タイマ値取得部２０３は、eNB１０で現在設定されているIdle遷移タイマ値をeNB１０から取得する。なお、eNB１０がEPC２０で決定したIdle遷移タイマ値をeNB１０に接続している移動機にすぐに適用する場合には、Idle遷移タイマ値取得部２０３は、EPCで決定したIdle遷移タイマ値を取得してもよい。
【００６８】
Idle遷移タイマ値制御部２０５は、上記のように、取得された発着信回数及びハンドオーバ回数に基づいて、Idle遷移タイマ値を制御する。Idle遷移タイマ値制御部２０５は、トラヒック特性選択部２０７と、Idle遷移タイマ値決定部２０９とを有する。
【００６９】
トラヒック特性選択部２０７は、上記のように、取得された発着信回数及びハンドオーバ回数から発着信負荷とハンドオーバ負荷との比率を算出し、比率を算出したときのIdle遷移タイマ値と算出された比率とに基づいてeNB１０におけるトラヒック特性を選択する。
【００７０】
Idle遷移タイマ値決定部２０９は、上記のように、選択されたトラヒック特性に基づいてIdle遷移タイマ値を決定する。
【００７１】
Idle遷移タイマ値通知部２１１は、移動機をIdle状態に遷移させるため、制御されたIdle遷移タイマ値をeNB１０に通知する。
【００７２】
eNB負荷取得部２１３は、eNB１０からeNB１０の負荷を取得する。
【００７３】
EPC負荷監視部２１５は、上記のように、EPC２０の負荷を監視する。
【００７４】
UE情報DB２１７は、上記のように、UEの情報を管理する。
【００７５】
図８に示す通信システムにおける動作は、図６及び７と同様に行われる。
【００７６】
説明の便宜上、本発明の実施例に係る装置は機能的なブロック図を用いて説明しているが、本発明の実施例に係る装置は、ハードウェア、ソフトウェア又はそれらの組み合わせで実現されてもよい。また、各機能部が必要に応じて組み合わせて使用されてもよい。
【００７７】
説明の便宜上、本発明の実施例に係る方法は処理の流れを示すシーケンス図又はフローチャートを用いて説明しているが、本発明の方法は、実施例に示す順序と異なる順序で実施されてもよい。
【００７８】
＜実施例の効果＞
本発明の実施例によれば、発着信負荷及びハンドオーバ負荷の双方によるシグナリング負荷を考慮したアイドル遷移タイマ値を決定することが可能になる。具体的には、発着信及びハンドオーバがネットワークに与える負荷が最小化される。
【００７９】
これにより、保守者がeNB毎にIdle遷移タイマ値を設定する無駄を省くことができ、また、時間帯、曜日、イベント等によるトラヒック特性の変化に応じて自動的にIdle遷移タイマが設定される。
【００８０】
また、Idle遷移タイマ値が変更された後にeNB１０に接続又はハンドオーバしてきた移動機に対してIdle遷移タイマ値を制御することにより、急なIdleタイマ値の変更に伴うeNBの負荷が軽減される。同様に、Idle遷移タイマ値が変更された後にeNBに接続又はハンドオーバしてきた移動機と、Idle遷移タイマ値が変更されたときにeNBに接続している移動機の中で、通信終了後の無通信時間が変更後のIdle遷移タイマ値以下である移動機とに対してIdle遷移タイマ値を制御することにより、急なIdleタイマ値の変更に伴うeNBの負荷が軽減される。
【００８１】
更に、移動機の情報を考慮することにより、移動機の電池持ちを向上させることができる。なお、輻輳時には、移動機の電池持ちではなく、特定の移動機種別とみなすことにより、ネットワーク負荷を最適化できる。
【００８２】
以上、本発明の実施例について説明したが、本発明は、上記の実施例に限定されることなく、特許請求の範囲内において、種々の変更・応用が可能である。
【符号の説明】
【００８３】
１０    無線基地局装置（eNB）
１０１  シグナリング回数取得部
１０３  Idle遷移タイマ値取得部
１０５  Idle遷移タイマ値制御部
１０７  トラヒック特性選択部
１０９  Idle遷移タイマ値決定部
１１１  Idle遷移制御部
１１３  eNB負荷監視部
１１５  EPC負荷取得部
１１７  UE情報取得部
２０    コアネットワーク装置（EPC）
２１５  EPC負荷監視部
２１７  UE情報DB
【図１】
2014049930.tif 000003
【図２】
2014049930.tif 000004
【図３】
2014049930.tif 000005
【図４】
2014049930.tif 000006
【図５】
2014049930.tif 000007
【図６】
2014049930.tif 000008
【図７】
2014049930.tif 000009
【図８】
2014049930.tif 000010